(57)【要約】【課題】  導線による配線を極力少ない組立工数にて、かつ導線の損傷なく配線し、安定した電気特性を得る。【解決手段】  複数の導線２２を樹脂２５によって一体化して結束するとともに、配線する機器の基板または筐体に固定可能な部材３１を、複数の導線２２に樹脂によって一体成型する。部材３１を、導線２２の延在方向に形成された屈曲点２４に設ける。導線２２を、屈曲点２４の少なくとも一組の位置関係が三次元的に変位するいわゆる三次元的形状に形成する。【選択図】      図１
2006066193.tif 000002
【特許請求の範囲】
【請求項１】
複数の導線を束ねる導線の結束方法であって、
前記複数の導線を樹脂によって一体化して結束するとともに、
配線する機器の基板または筐体に対して位置決め可能な部材を、前記複数の導線に前記樹脂とともに一体に成型することを特徴とする導線の結束方法。
【請求項２】
前記部材を、前記導線の延在方向に形成された屈曲点に設けることを特徴とする請求項１に記載の導線の結束方法。
【請求項３】
前記複数の導線を、前記屈曲点の少なくとも一組の位置関係が三次元的に変位する形状に形成することを特徴とする請求項１または請求項２に記載の導線の結束方法。
【請求項４】
複数の導線を有するワイヤーハーネスであって、
請求項１〜３のいずれか１項に記載の導線の結束方法によって前記導線が結束されていることを特徴とするワイヤーハーネス。
【請求項５】
請求項４に記載のワイヤーハーネスによって各種電気部品を配線したことを特徴とする携帯通信端末。
【請求項６】
複数の導線と、
該導線を一体化して結束する樹脂成形体と、
前記導線を配線すべき機器の基板または筐体に対して位置決め可能であって、前記樹脂成型品と一体に成型された部材とを有することを特徴とする携帯通信端末。
【発明の詳細な説明】
【技術分野】
【０００１】
本発明は、複数の導線を束ねる導線の結束方法、この導線を結束するワイヤーハーネスおよびこのワイヤーハーネスを備えた携帯通信端末に関する。
【背景技術】
【０００２】
一般に、各種の電気、電子機器では、その筐体内に配設された複数の導線が配線として用いられている。
この種の導線は、機器の小型化に伴い、狭い内部スペースにて、各種の部品の間を通るように、有効に経路を規定して配設する必要がある。
このため、経路の規定に従って、図９及び図１０に示すように、導線１を束ねて熱収縮チューブ２によって数カ所を結束することが行われている（例えば、特許文献１参照）。
そして、図１１に示すように、複数の導線１を結束したワイヤーハーネス３を、機器を構成する筐体４内に成型した係合部５に係合させて、ケース３３内へ経路を特定しながら機器内へ組み込んでいる。
【０００３】
また、特に、複数の筐体４を備えた機器では、その配線経路が三次元的に複雑となるばかりか、ワイヤーハーネス３を通す筐体の孔や配線基板などのエッジでワイヤーハーネス３が損傷し易いため、図１２に示すように、エッジ６部分に接触しやすい部分にも熱収縮チューブ２を取り付けて保護することが行われている。
【特許文献１】特開平９−１６１５４６号公報
【発明の開示】
【発明が解決しようとする課題】
【０００４】
ところで、上記のように、複数の導線１の複数箇所を熱収縮チューブ２で結束しても、ワイヤーハーネス３の全体の形が定まらず、このため、機器を構成する筐体４内に配線する際には、決められた配線経路へ手作業で形を整えながら収納しなければならず、多くの組立工数を必要とする。
また、配線経路が規定できない部分では、複数の導線１が自由に曲がるなどして、一定の位置に保持できないため、各導線１から発する電気信号によるノイズが筐体４内の回路部品へ影響を与えるレベルが不安定となり、安定した電気的特性が確保できない。
また、上記ワイヤーハーネス３は、その全体の形が決まってないため、部品として梱包して輸送する際、あるいは筐体４への組み込みの際に、導線１同士が絡み合い、ほぐすのに手間及び時間を要し、組立工数のさらなる増大を招いてしまう。
【０００５】
この発明は、上記事情に鑑みてなされたもので、極力少ない組立工数にて損傷なく導線を配線し、安定した電気特性を得ることが可能な導線の結束方法、ワイヤーハーネス及び携帯通信端末を提供することを目的としている。
【課題を解決するための手段】
【０００６】
上記目的を達成するために、本発明の導線の結束方法は、複数の導線を束ねる導線の結束方法であって、前記複数の導線を樹脂によって一体化して結束するとともに、配線する機器の基板または筐体に対して位置決め可能な部材を、前記複数の導線に樹脂によって一体成型することを特徴としている。
【０００７】
また、本発明の導線の結束方法は、前記部材を、前記導線の延在方向に形成された屈曲点にて一体成型することを特徴としている。
さらに、前記導線を、前記屈曲点の少なくとも一組の位置関係が三次元的に変位する、いわゆる三次元的形状に形成することを特徴としている。
【０００８】
また、本発明のワイヤーハーネスは、複数の導線を有するワイヤーハーネスであって、上記のいずれかの導線の結束方法によって前記導線が結束されていることを特徴としている。
【０００９】
さらに、本発明の携帯通信端末は、上記のワイヤーハーネスによって各種電気部品を配線したことを特徴としている。
【発明の効果】
【００１０】
本発明の導線の結束方法によれば、樹脂によって導線を一体化して結束し、さらに、位置決めのための部材を一体成型するので、導線を配線経路に沿った形状に一体化することにより、前記部材を基板や筐体へ固定するだけで、極めて容易に、決められた配線経路へ装着することができ、組立工数を極力抑えることができる。
また、筐体内における配線経路に確実に収めることができるので、筐体内にて導線が移動することがなく、これにより、導線から発する電気信号によるノイズが回路部品へ影響を与えるレベルを安定化させることができ、安定した電気特性を確保することができる。
【００１１】
特に、前記部材を導線の屈曲点に設けることにより、筐体内に装着した際に、導線を所定の位置に確実に支持することができる。
【００１２】
また、配線経路が三次元的な複雑形状であり配線作業が困難となる携帯通信端末などに用いる場合にも、導線を複数箇所にて屈曲する三次元的な複雑形状に合わせて導線を樹脂によって結束してフォーミングすることにより、複雑な配線経路に沿って容易に装着することができる。
【００１３】
さらに、本発明のワイヤーハーネスによれば、樹脂によって所定の形状とすることができるので、部品として梱包して輸送する際に整列させることができ、輸送時あるいは筐体内への組み込みの際に、導線同士が絡み合うような不具合をなくすことができ、組み立て作業を円滑に行うことができ、組立工数のさらなる削減を図ることができる。
【００１４】
そして、本発明の携帯通信端末によれば、樹脂によって導線が一体化されたワイヤーハーネスが、部材によって筐体に確実に位置決めあるいは固定されて複雑な配線経路に沿って配線されるので、安定した電気特性が得られ、しかも、導線の損傷などの不具合がなく、信頼性の高いものとすることができる。
【発明を実施するための最良の形態】
【００１５】
以下、本発明の実施形態に係る導線の結束方法、ワイヤーハーネス及び携帯通信端末を、図面を参照して説明する。
図１は、本実施形態に係るワイヤーハーネスを示す斜視図、図２は、位置決めのための部材の取り付け箇所における斜視図、図３は、機器の筐体への部材の取り付け箇所を示す斜視図、図４は、導線の結束の仕方を説明する斜視図、図５は、他の形状の部材を備えたワイヤーハーネスを示す斜視図、図６は、ワイヤーハーネスの梱包状態を示す斜視図、図７及び図８は、ワイヤーハーネスを収納した携帯通信端末を示す斜視図である。
【００１６】
図１に示すように、この実施形態に係るワイヤーハーネス２１は、複数の導線２２を有しており、これら導線２２の端部に、コネクタ２３が接続されている。
このワイヤーハーネス２１は、導線２２の延在方向に、機器内における配線経路に沿う、複数の屈曲点２４が形成されている。
そして、このワイヤーハーネス２１では、導線２２が弾性接着剤からなる樹脂２５によって屈曲点２４を有する所定の形状に一体化されている。
【００１７】
また、ワイヤーハーネス２１には、屈曲点２４に、樹脂からなる部材３１が設けられている。図２に示すように、この部材３１は、孔部３２を有しており、導線２２を一体化する樹脂２５に一体成型によって固定されている。
そして、このワイヤーハーネス２１を筐体３３内へ装着する場合は、部材３１を筐体３３のボス３４が形成された所定の箇所へ、部材３１の孔部３２にボス３４を嵌合させて圧入することにより固定する。このようにすると、このワイヤーハーネス２１が、筐体３３内における配線経路へ位置決めないしは固定された状態で装着される。
【００１８】
ここで、この部材３１は、図４に示すように、一対の金型４１を用い、これら金型４１によって低圧成型法により成型することにより、ワイヤーハーネス２１へ一体成型される。
【００１９】
なお、部材３１としては、筐体３３に固定可能であれば、孔部３２を有する板状の形態には限定されない。
図５（ａ）、（ｂ）に示すワイヤーハーネス２１は、周面に溝部３５を有する円板状の部材３６を導線２２に一体成型したもので、このワイヤーハーネス２１によれば、筐体３３に形成された図示しない挿通孔へ通し、部材３６の溝部３５に、挿通孔の縁部を嵌合させる。このようにすると、筐体３３へワイヤーハーネス２１を容易に固定することができるとともに、筐体３３の挿通孔の縁部に導線２２が接触して損傷するような不具合も回避することができる。
【００２０】
図６に示すものは、ワイヤーハーネス２１の梱包状態を示すものである。図に示すように、ワイヤーハーネス２１を、樹脂によって筐体３３における配線経路に沿った所定の形状とすることにより、同一形状の複数のワイヤーハーネス２１を整列させて梱包することができる。
【００２１】
図７及び図８に示すものは、携帯通信端末である。この携帯通信端末５０は、第１の筐体３３ａ及び第２の筐体３３ｂを有するもので、これら第１の筐体３３ａ及び第２の筐体３３ｂが互いに回動可能に連結されている。そして、この携帯通信端末５０には、その内部に上記ワイヤーハーネス２１が収納されて各部品や基板などの配線が行われている。
【００２２】
ここで、このような回動式の折り畳み型携帯通信端末５０では、互いに回動する第１の筐体３３ａ及び第２の筐体３３ｂにわたって配線が行われるため、配線経路が複数箇所にて屈曲する三次元的な複雑形状となる。
しかし、上記ワイヤーハーネス２１は、導線２２を樹脂によって結束するので、導線２２を三次元的な複雑形状に合わせてフォーミングすることができる。
【００２３】
以上、説明したように、上記のワイヤーハーネス２１によれば、樹脂によって導線２２を一体化して結束し、さらに、部材３１を一体成型したので、導線２２を配線経路に沿った形状に一体化することにより、部材３１を筐体３３へ固定するだけで、極めて容易に、筐体３３内における決められた配線経路へ装着することができ、組立工数を極力抑えることができる。
【００２４】
また、筐体３３内における配線経路に確実に収めることができるので、機器の筐体３３内にて導線２２が移動することがなく、これにより、導線２２から発する電気信号によるノイズが回路部品へ影響を与えるレベルを安定化させることができ、安定した電気特性を確保することができる。
【００２５】
特に、部材３１を屈曲点２４に設けることにより、筐体３３内に装着した際に、導線２２を所定の位置に確実に支持することができる。
また、配線経路が三次元的な複雑形状であり配線作業が困難となる携帯通信端末５０などに用いる場合にも、導線２２を複数箇所にて屈曲する三次元的な複雑形状に合わせて導線２２を樹脂によって結束してフォーミングすることにより、複雑な配線経路に沿って容易に装着することができる。
【００２６】
また、ワイヤーハーネス２１を、樹脂によって所定の形状とすることができるので、部品として梱包して輸送する際に整列させることができ、輸送時あるいは筐体３３内への組み込みの際に、導線２２同士が絡み合うような不具合をなくすことができ、組み立て作業を円滑に行うことができ、組立工数のさらなる削減を図ることができる。
そして、上記ワイヤーハーネス２１を備えた携帯通信端末５０によれば、樹脂によって導線２２が一体化されたワイヤーハーネス２１が、部材３１によって筐体３３ａ、３３ｂに確実に固定されて複雑な配線経路に沿って配線されるので、安定した電気特性が得られ、しかも、導線２２の損傷などの不具合がなく、信頼性の高いものとすることができる。
【００２７】
本発明の適用対象は、携帯電話機のみならず、モバイル端末やPDAと呼ばれる携帯情報端末をも含むものとする。
【図面の簡単な説明】
【００２８】
【図１】本発明の本実施形態に係るワイヤーハーネスを示す斜視図である。
【図２】部材の取り付け箇所における斜視図である。
【図３】機器の筐体への部材の取り付け箇所を示す斜視図である。
【図４】導線の結束の仕方を説明する斜視図である。
【図５】他の形状の部材を備えたワイヤーハーネスを示す斜視図である。
【図６】ワイヤーハーネスの梱包状態を示す斜視図である。
【図７】ワイヤーハーネスを収納した携帯通信端末を示す斜視図である。
【図８】ワイヤーハーネスを収納した携帯通信端末を示す斜視図である。
【図９】従来の導線の結束方法を示す斜視図である。
【図１０】従来のワイヤーハーネスを示す斜視図である。
【図１１】従来のワイヤーハーネスの筐体への装着の仕方を示す斜視図である。
【図１２】従来のワイヤーハーネスの筐体への装着の仕方を示す斜視図である。
【符号の説明】
【００２９】
２１  ワイヤーハーネス
２２  導線
２４  屈曲点
２５  樹脂
３１、３６  部材
３３  筐体
３３ａ  第１の筐体
３３ｂ  第２の筐体
５０  携帯通信端末
【図１】
2006066193.tif 000003
【図２】
2006066193.tif 000004
【図３】
2006066193.tif 000005
【図４】
2006066193.tif 000006
【図５】
2006066193.tif 000007
【図６】
2006066193.tif 000008
【図７】
2006066193.tif 000009
【図８】
2006066193.tif 000010
【図９】
2006066193.tif 000011
【図１０】
2006066193.tif 000012
【図１１】
2006066193.tif 000013
【図１２】
2006066193.tif 000014